(57)【要約】【課題】  靴等の履物の踵部の下部ではなく、踵部の上部に対して靴を履いたまま着脱自在に取り付けることにより、着脱操作が容易であり、しかも靴のサイズに関係なく対応可能なフリーサイズとすることもでき、更に泥水等の跳ね上げ、付着を防止する庇状の張出し部を大きく構成することにより跳ね上げ防止効果を高めつつ、歩行の障害となることをも防止できる泥跳ね防止具を提供するものである。【解決手段】  履物１０の背部１２、或いは履用者の足首２１周辺等の取付け対象部位に対して着脱自在に装着する泥跳ね防止具１であって、該取付け対象部位に対して後方から弾性的に着脱可能な平面形状が略Ｃ字状の装着部２と、該装着部から後方下方へ庇状に突出する遮蔽部材３と、を備えている。【選択図】  図１
2005066119.tif 000002
【特許請求の範囲】
【請求項１】
履物の背部、或いは履用者の足首周辺等の取付け対象部位に対して着脱自在に装着する泥跳ね防止具であって、該取付け対象部位に対して後方から弾性的に着脱可能な平面形状が略Ｃ字状の装着部と、該装着部から後方下方へ庇状に突出する遮蔽部材と、を備えたことを特徴とする泥跳ね防止具。
【請求項２】
前記遮蔽部材は、それ自体を弾性材料にて構成し自らの弾性によって取付け対象部位に対して着脱自在に構成するか、或いは弾性を有しない遮蔽部材に対して略Ｃ字形状の弾性部材を組み込んだ構成を備えていることを特徴とする請求項１に記載の泥跳ね防止具。
【請求項３】
前記装着部材の下端縁から下方へ下部遮蔽部材を垂れ下げた構成を備えたことを特徴とする請求項１、又は２に記載の泥跳ね防止具。
【発明の詳細な説明】
【技術分野】
【０００１】
本発明は靴等の履物に装着されることによって、水たまりや、泥道等を歩行する際に跳ね上がる水や泥水がズボンなどの裾や後部に付着することを防止する泥跳ね防止具に関する。
【背景技術】
【０００２】
この種の泥跳ね防止具として、例えば特開２０００−４１７０６（特許文献１）には、靴の踵部に対して踵部の先端側から装着可能な環状のゴムリングと、ゴムリングに一体化された跳ね上げ防止シートとから構成された泥水等の跳ね上げ防止具が開示されている。
しかし、この跳ね上げ防止具は、靴の踵部に対してその先端側からゴムリングを着脱する構成であるため、ハイヒールのように踵部が細長い場合には装着が容易、且つ装着した状態を維持することも容易であるが、紳士靴のように踵部が短くしかも太い場合にはゴムリングの装着が容易でないばかりか、地面の突起物、砂利などに当たることによってゴムリングが外れやすい。靴の種類によっては、踵部が全く突出していないタイプもあり、この場合には取付けが不可能である。また、踵部分から後方に張り出す跳ね上げ防止シートとして後方への張出し長が大きいものを使用すると歩行に際しての障害となり、危険であり、従って後方への張出し長を小さくせざるをえず、跳ね上げ防止効果に限界があった。特に、ビルや自動車やエレベータ等のドアに防止具が挟まった場合に、踵部に対してゴムリングによって取り付けられるタイプであると、防止具だけを靴から離脱させることが困難となり、履用者が転ぶ等の危険が増大する。また、靴のサイズ、形状、種類等の違いに応じて、異なった寸法、形状の跳ね上げ防止具を製造し用意する必要があるため、煩雑であった。
また、特開平８−５６７０６号公報（特許文献２）にも特許文献１と類似の泥跳ね飛散防止部材が開示されているが、踵部に対してその先端側からゴム製の環状の嵌合部を嵌合させる点が同じであり、その欠点も同じである。
【特許文献１】特開２０００−４１７０６
【特許文献２】特開平８−５６７０６号公報
【発明の開示】
【発明が解決しようとする課題】
【０００３】
本発明は上記に鑑みてなされたものであり、靴等の履物の踵部の下部ではなく、踵部の上部に対して靴を履いたまま着脱自在に取り付けることにより、着脱操作が容易であり、しかも靴のサイズに関係なく対応可能なフリーサイズとすることもでき、更に泥水等の跳ね上げ、付着を防止する庇状の張出し部を大きく構成することにより跳ね上げ防止効果を高めつつ、歩行の障害となることをも防止できる泥跳ね防止具を提供するものである。
【課題を解決するための手段】
【０００４】
上記課題を解決するため、請求項１の発明は、履物の背部、或いは履用者の足首周辺等の取付け対象部位に対して着脱自在に装着する泥跳ね防止具であって、該取付け対象部位に対して後方から弾性的に着脱可能な平面形状が略Ｃ字状の装着部と、該装着部から後方下方へ庇状に突出する遮蔽部材と、を備えたことを特徴とする。
請求項２の発明は、請求項１において、前記遮蔽部材は、それ自体を弾性材料にて構成し自らの弾性によって取付け対象部位に対して着脱自在に構成するか、或いは弾性を有しない遮蔽部材に対して略Ｃ字形状の弾性部材を組み込んだ構成を備えていることを特徴とする。
請求項３の発明は、請求項１又は２において、前記装着部材の下端縁から下方へ下部遮蔽部材を垂れ下げた構成を備えたことを特徴とする。
【発明の効果】
【０００５】
本発明によれば、靴等の履物の踵部の下部に対して環状の取付け具により取り付けるのではなく、踵部の上部に対して靴を履いたまま着脱自在に取り付けるので、あらゆるタイプの履物に対して取付けが可能であり、また着脱操作が容易であり、しかも靴のサイズに関係なく対応可能なフリーサイズとすることもできる。更に、泥水等の跳ね上げ、付着を防止する庇状の張出し部を大きく構成することにより跳ね上げ防止効果を高めつつ、歩行の障害となることをも防止できる。跳ね上げ防止具がドア等に引っかかった場合にも、容易に脱落するので、転ぶ等の危険がない。
【発明を実施するための最良の形態】
【０００６】
以下、本発明を添付図面に示した実施の形態により詳細に説明する。
図１（ａ）及び（ｂ）は本発明の一実施形態に係る泥跳ね防止具の外観斜視図、及びＡ−Ａ断面図であり、（ｃ）は遮蔽部材の展開図である。また、図２（ａ）及び（ｂ）は本発明の泥跳ね防止具を履物、及び足首に取り付けた状態を示す図である。
この泥はね防止具１は、靴等の履物１０の踵部１１よりも上方の靴背部１２、或いは履用者２０の踵上部（足首）２１（取付け対象部位）に対して後方から弾性的に着脱され、装着時には後方へ突出する庇状の遮蔽部材が踵等によって跳ね上げられる泥水等が履用者の脚の後側に付着することを未然に防止するように機能するものである。
この泥跳ね防止具１は、履物１０の踵部１１の上部、即ち靴背部１２に対して後方から弾性的に着脱自在に装着される平面形状が略Ｃ字状の装着部２と、装着部２から後方斜め下方へ突出する庇状の遮蔽部材（張出し部材）３と、を備えている。
【０００７】
装着部２は、これ自体を樹脂、金属等の板状弾性体を用いて構成しても良いし、或いは図示した例のように板状に加工したスポンジ、厚手の繊維、樹脂等々、軟質、軽量で保形性を有した防水材料（撥水材料）から成る基材２ａの上端縁に沿って略Ｃ字状の弾性部材２ｂを組み込んだ構成としてもよい。装着部２は、靴背部１２、或いは足首に装着した際に密着し易いように三日月形状、或いは半月状に構成すると共に、それ自体のバネ性、或いは弾性部材２ｂの弾発力によって取付け対象部位に対して着脱自在にワンタッチで着脱できるように構成される。また、一旦装着した場合には、取付け対象部位を過剰に加圧し続けて傷や変形やダメージや痛みを与えることなく、しかも歩行時の振動、衝撃等によって容易に脱落、位置ずれを起こすことがないようにその弾発力を調整する。また、取付け対象部位との接触面に滑り止めや、靴や足首の保護層を介在させるようにしてもよい。
装着部自体を、取付け対象部位に装着するのに十分な弾性力を備えた材料にて構成しない場合には、装着部の適所、例えば上端縁に沿って略Ｃ字状の弾性部材２ｂを取り付けるが、この弾性部材２ｂは線材としてもよいし、細幅帯状の板状としてもよい。なお、例えば遮蔽部材３がビルや自動車やエレベータのドアに挟まれた場合には、泥跳ね防止具１だけが容易に脱落できる程度に弾性部材の弾発力を設定する必要がある。
【０００８】
庇状の遮蔽部材３は、装着部２の下端縁から所定の屈曲角度をもって連結一体化した構成を備え、それ自体の保形性（或いは、図示しない保形用の弾性材によるサポート）によって所定の傾斜角度、姿勢を維持できるように構成されている。従って、歩行時の振動や、付着した泥等の重みによって垂れ下がって引きずったり、歩行の障害となることがない。
当然、装着部２及び遮蔽部材３の表面には、防水、撥水、汚れ付着防止のための配慮（材料選定、加工）がなされている。
遮蔽部材３の屈曲角度としては、斜め下向き、水平、斜め上向き等任意の角度とすることができるが、遮蔽部材３の上面に雨水が溜まることを避けるためには、遮蔽部材３の上面は下向きに湾曲していることが好ましい。
本発明の泥跳ね防止具１は、従来のように靴の踵部そのものに対して環状の取付け具、例えばゴムリング等を用いて装着するタイプと異なり、Ｃ字状の弾性構造体により後方から装着するように構成したので、靴を履いたまま簡単に着脱が可能であり、歩行時の落下や位置ずれが発生することがない。必要時には容易に取外しができる。また、男女の靴、サイズを問わずにフリーサイズとして構成することもでき、極めて便利である。ただ、男女靴の違い、サイズ違い、靴の種類、用途や形状の違いに応じて泥跳ね防止具のサイズ、形状を異ならせても良い。例えば、販売時には遮蔽部材３の面積を大きいものとしておき、購入後にユーザが鋏等を用いて任意のサイズ、形状に切断できるように構成してもよい。
また、図１（ｂ）に示すように装着部２の下端縁から下方に垂れ下がった下部遮蔽部材２ｃを取り付けることにより、靴背部の汚れを防止することができるし、或いは足首に装着した場合に靴内に泥水が入り込むことを下部遮蔽部材２ｃによって防止できる。
【０００９】
また、本発明の泥跳ね防止具１は、靴背部の上部のみならず、図２（ｂ）に示したように履用者２０の足首２１に直接取り付けてもよい。即ち、長ズボンを着用した場合、靴の背部に防止具１を取り付けただけでは、長ズボンの裾部に対する泥跳ねまでを遮蔽部材３が遮蔽できないことがあり得る。そこで、このような場合には長ズボンの裾部を含めた足首を装着部２によって束ねることによって裾部がひらひらして泥跳ね防止具１による泥跳ね遮蔽範囲外に飛び出す等の不具合を解消できる。この場合には、装着部２の幅を大きくして、ズボンの裾部をカバーし、遮蔽部材３の下側から跳ねた泥水が裾部に付着しないように構成するのが好ましい。
特に、従来例と異なり、本発明の泥跳ね防止具１は、靴背部の上部や足首に装着するため、その高さ分だけ、歩行の障害とならずに、遮蔽部材３の面積、後方への突出長を大きくすることができ、泥跳ね遮蔽範囲を拡大できる。
【図面の簡単な説明】
【００１０】
【図１】（ａ）及び（ｂ）は本発明の一実施形態に係る泥跳ね防止具の外観斜視図、及びＡ−Ａ断面図であり、（ｃ）は遮蔽部材の展開図。
【図２】（ａ）及び（ｂ）は本発明の泥跳ね防止具を履物、及び足首に取り付けた状態を示す図。
【符号の説明】
【００１１】
１  泥はね防止具、２  装着部、２ａ  基材、２ｂ  弾性部材、３  遮蔽部材（張出し部材）、１０  履物、１１  踵部、１２  靴背部、２０  履用者、２１  踵上部（足首）。
【図１】
2005066119.tif 000003
【図２】
2005066119.tif 000004